(57)【要約】【課題】ユーザが書き込んだり、ユーザが貼り付けた情報や書き込んだりした情報を容易に参照したりすることができるノートのような情報処理装置を提供する。【解決手段】複数の電子ペーパー１１-1〜１１-6と、複数の電子ペーパー１１-1〜１１-6のうち、ユーザが選択した電子ペーパー１１-4の表示面に直接的あるいは間接的に対面する位置に配置可能とされ、ユーザの指定した位置に対応する位置情報を電子ペーパー１１-4の表示座標に対応づけて入力するための下敷き型タブレット１４と、を備える。【選択図】図１
2007206845.tif 000002
【特許請求の範囲】
【請求項１】
ノート状に綴られた複数のシート型表示装置と、
ユーザにより選択された前記複数のシート型表示装置のうちいずれかの前記シート型表示装置の表示面に直接的あるいは間接的に入力面が対面配置可能とされ、前記ユーザの指定した位置を検出し、検出位置の位置情報を前記シート型表示装置の表示位置に対応づけて入力するための位置情報入力部と、
を備えたことを特徴とする情報処理装置。
【請求項２】
請求項１記載の情報処理装置において、
入力された前記位置情報に対応する情報を前記選択されたシート型表示装置に表示する表示制御部を備えたことを特徴とする情報処理装置。
【請求項３】
請求項２記載の情報処理装置において、
前記表示制御部は、入力された前記位置情報に基づく画像を、前記入力された位置情報に対応する情報として表示することを特徴とする情報処理装置。
【請求項４】
請求項１ないし請求項３のいずれかに記載の情報処理装置において、
前記シート型表示装置は、電子ペーパーあるいはフレキシブルディスプレイとして構成されていることを特徴とする情報処理装置。
【請求項５】
請求項１ないし請求項４のいずれかに記載の情報処理装置において、
前記位置情報入力部は、前記選択されたシート型表示装置に対し、背面側あるいは前面側に配置されることを特徴とする情報処理装置。
【請求項６】
請求項１ないし請求項４のいずれかに記載の情報処理装置において、
前記位置情報入力部は、背面側に配置された前記選択されたシート型表示装置の表示画面が視認可能に構成されていることを特徴とする情報処理装置。
【請求項７】
請求項１ないし請求項６のいずれかに記載の情報処理装置において、
前記位置情報入力部は、感圧方式あるいは電磁誘導方式のタブレットとして構成されていることを特徴とする情報処理装置。
【請求項８】
請求項１ないし請求項６のいずれかに記載の情報処理装置において、
前記ユーザが位置を指定するための少なくとも一つのコイルを有する位置指示器を備え、
前記位置情報入力部は、複数のループコイルを備え、
前記コイルおよび前記ループコイルのうち、いずれか一方から他方に信号を送信して前記ユーザが指定した位置を特定することを特徴とする情報処理装置。
【請求項９】
請求項１ないし請求項６のいずれかに記載の情報処理装置において、
前記ユーザが位置を指定するための少なくとも一つのコイルを有する位置指示器を備え、
前記位置情報入力部は、電磁誘導方式のタブレットとして構成されており、前記位置指示器のコイルから送信される信号を受信する複数のループコイルを備えていることを特徴とする情報処理装置。
【請求項１０】
請求項７ないし請求項９のいずれかに記載の情報処理装置において、
前記位置指示器は、ペン型に構成されていることを特徴とする情報処理装置。
【請求項１１】
請求項１ないし請求項３のいずれかに記載の情報処理装置において、
前記複数のシート型表示装置のうち、前記ユーザが任意に選択したシート型表示装置を特定する選択状態特定部を備えたことを特徴とする情報処理装置。
【請求項１２】
請求項１１記載の情報処理装置において、
前記シート型表示装置は、それぞれユニークな認識コードを有する被認識部を備え、
前記選択状態特定部は、前記被認識部から前記認識コードを読み出して前記ユーザが任意に選択したシート型表示装置を特定することを特徴とする情報処理装置。
【請求項１３】
請求項１１記載の情報処理装置において、
前記シート型表示装置は、それぞれユニークな形状とされた被認識部を備え、
前記選択状態特定部は、前記被認識部の形状に基づいて前記ユーザが任意に選択したシート型表示装置を特定することを特徴とする情報処理装置。
【請求項１４】
請求項１３記載の情報処理装置において、
前記ユニークな形状は特定位置に形成された孔を含み、
前記選択状態特定部は、前記孔が形成されている位置に光を照射し、その透過位置で前記ユーザが任意に選択したシート型表示装置を特定することを特徴とする情報処理装置。
【請求項１５】
請求項１１記載の情報処理装置において、
前記シート型表示装置は、表裏２面の表示面を備え、
前記選択状態特定部は、前記ユーザが任意に選択した前記表示面を特定することを特徴とする情報処理装置。
【請求項１６】
請求項１ないし請求項１５のいずれかに記載の情報処理装置において、
複数の前記シート型表示装置と、前記位置情報入力部とは、ユーザが任意に選択したシート型表示装置に直接的あるいは間接的に対向する位置に配置可能に互いに一体的に形成されていることを特徴とする情報処理装置。
【請求項１７】
請求項１ないし請求項１１記載の情報処理装置において、
前記シート型表示装置は、表裏２面の表示面を備え、
前記位置情報入力部は、前記ユーザの指定した位置に対応する位置情報を前記シート型表示装置の表示座標に対応づけてそれぞれ入力する第１位置情報入力部および第２位置情報入力部を備えるとともに、前記第１位置情報入力部と第２位置情報入力部とは見開き状態で配置され、
前記選択状態特定部は、前記第１位置情報入力部あるいは第２位置情報入力部のいずれから位置情報が入力されたかに基づいて、前記ユーザが任意に選択したシート型表示装置の表示対象の表示面を特定することを特徴とする情報処理装置。
【請求項１８】
請求項１ないし請求項１１記載の情報処理装置において、
複数の前記シート型表示装置は、それぞれ表裏２面の表示面を備えるとともに、見開き状態で配置することが可能とされており、
前記選択状態特定部は、前記位置情報入力部が前記表裏２面の表示面のうち、いずれか一方の表示面に対向する位置に配置されたかを特定して、他方の表示面を表示対象の表示面として特定することを特徴とする情報処理装置。
【発明の詳細な説明】
【技術分野】
【０００１】
本発明は、情報処理装置に係り、特に電子ペーパーなどのシート型表示装置を複数有する情報処理装置に関する。
【背景技術】
【０００２】
近年、電子ペーパーやフレキシブルディスプレイなどのシート型表示装置のように、表示媒体として視認性が高く、目が疲れにくく、折り曲げ可能であるなど携帯性に優れている紙の長所を取り入れることを目指した新たな電子表示媒体の開発が進められている（例えば、特許文献１参照）。
なお、本願においては、シート型表示装置には、電子ペーパーのような紙状のフレキシブルな表示装置を含むのはもちろんのこと、可撓性の低い薄型表示装置（例えば、液晶ディスプレイ装置）であってもノート状に複数枚綴って使用することが可能であれば含むものとする。
【特許文献１】特開２０００−４７２６６号公報
【発明の開示】
【発明が解決しようとする課題】
【０００３】
しかしながら、現状においては、基本的に単体の電子ペーパーやフレキシブルディスプレイは、電子書籍、電子新聞、フレキシブルテレビなど表示に重点がおかれた開発が進められており、いわゆるノートなどのようにユーザが自由に書き込んだりする態様での開発はあまり進んでいないという現状がある。
そこで、本発明の目的は、シート型表示装置を有しユーザが書き込んだり、ユーザが貼り付けた情報や書き込んだりした情報を容易に参照したりすることができるノートのような情報処理装置を提供することにある。
【課題を解決するための手段】
【０００４】
上記課題を解決するため、本発明は、ノート状に綴られた複数のシート型表示装置と、ユーザにより選択された前記複数のシート型表示装置のうちいずれかの前記シート型表示装置の表示面に直接的あるいは間接的に入力面が対面配置可能とされ、前記ユーザの指定した位置を検出し、検出位置の位置情報を前記シート型表示装置の表示位置に対応づけて入力するための位置情報入力部と、を備えたことを特徴としている。
上記構成によれば、位置情報入力部は複数のシート型表示装置のうち、ユーザにより選択された前記複数のシート型表示装置のうちいずれかのシート型表示装置の表示面に直接的あるいは間接的に入力面が対面配置可能とされ、ユーザの指定した位置を検出し、検出位置の位置情報を前記シート型表示装置の表示位置に対応づけて入力する。
【０００５】
この場合において、入力された前記位置情報に対応する情報を前記選択されたシート型表示装置に表示する表示制御部を備えるようにしてもよい。
また、前記表示制御部は、入力された前記位置情報に基づく画像を、前記入力された位置情報に対応する情報として表示するようにしてもよい。
さらに、前記シート型表示装置は、電子ペーパーあるいはフレキシブルディスプレイとして構成されているようにしてもよい。
さらにまた、前記位置情報入力部は、前記選択されたシート型表示装置に対し、背面側あるいは前面側に配置されるようにしてもよい。
【０００６】
また、前記位置情報入力部は、背面側に配置された前記選択されたシート型表示装置の表示画面が視認可能に構成されているようにしてもよい。
さらに、前記位置情報入力部は、感圧方式あるいは電磁誘導方式のタブレットとして構成されているようにしてもよい。
さらにまた、前記ユーザが位置を指定するための少なくとも一つのコイルを有する位置指示器を備え、前記位置情報入力部は、複数のループコイルを備え、前記コイルおよび前記ループコイルのうち、いずれか一方から他方に信号を送信して前記ユーザが指定した位置を特定するようにしてもよい。
さらにまた、前記ユーザが位置を指定するための少なくとも一つのコイルを有する位置指示器を備え、前記位置情報入力部は、電磁誘導方式のタブレットとして構成されており、前記位置指示器のコイルから送信される信号を受信する複数のループコイルを備えているようにしてもよい。
また、前記位置指示器は、ペン型に構成されているようにしてもよい。
【０００７】
また、前記複数のシート型表示装置のうち、前記ユーザが任意に選択したシート型表示装置を特定する選択状態特定部を備えるようにしてもよい。
さらに、前記シート型表示装置は、それぞれユニークな認識コードを有する被認識部を備え、前記選択状態特定部は、前記被認識部から前記認識コードを読み出して前記ユーザが任意に選択したシート型表示装置を特定するようにしてもよい。
さらにまた、前記シート型表示装置は、それぞれユニークな形状とされた被認識部を備え、前記選択状態特定部は、前記被認識部の形状に基づいて前記ユーザが任意に選択したシート型表示装置を特定するようにしてもよい。
【０００８】
また、前記ユニークな形状は特定位置に形成された孔を含み、前記選択状態特定部は、前記孔が形成されている位置に光を照射し、その透過位置で前記ユーザが任意に選択したシート型表示装置を特定するようにしてもよい。
さらに、前記シート型表示装置は、表裏２面の表示面を備え、前記選択状態特定部は、前記ユーザが任意に選択した前記表示面を特定するようにしてもよい。
さらにまた、複数の前記シート型表示装置と、前記位置情報入力部とは、ユーザが任意に選択したシート型表示装置に直接的あるいは間接的に対向する位置に配置可能に互いに一体的に形成されているようにしてもよい。
【０００９】
また、前記シート型表示装置は、表裏２面の表示面を備え、前記位置情報入力部は、前記ユーザの指定した位置に対応する位置情報を前記シート型表示装置の表示座標に対応づけてそれぞれ入力する第１位置情報入力部および第２位置情報入力部を備えるとともに、前記第１位置情報入力部と第２位置情報入力部とは見開き状態で配置され、前記選択状態特定部は、前記第１位置情報入力部あるいは第２位置情報入力部のいずれから位置情報が入力されたかに基づいて、前記ユーザが任意に選択したシート型表示装置の表示対象の表示面を特定するようにしてもよい。
さらに、複数の前記シート型表示装置は、それぞれ表裏２面の表示面を備えるとともに、見開き状態で配置することが可能とされており、前記選択状態特定部は、前記位置情報入力部が前記表裏２面の表示面のうち、いずれか一方の表示面に対向する位置に配置されたかを特定して、他方の表示面を表示対象の表示面として特定するようにしてもよい。
【発明の効果】
【００１０】
本発明によれば、情報処理装置をノートのように使用することができ、ユーザが書き込んだり、ユーザが貼り付けた情報や書き込んだりした情報を容易に参照したりすることができる。
【発明を実施するための最良の形態】
【００１１】
以下、図面を参照して本発明の好適な実施形態について説明する。
［１］第１実施形態
図１は、実施形態に係るノート型情報処理装置の外観図である。
図２は、実施形態に係るノート型情報処理装置の概要構成ブロック図である。
ノート型情報処理装置１０は、複数の電子ペーパー（シート型表示装置）１１-1〜１１-6と、電子ペーパー１１-1〜１１-6を電気的なコネクタ機能を有するリング型保持具１２Ａを介して見開き可能に保持するとともに、表示制御部として機能する表示ユニット１２と、リング型保持具１２Ａに脱着可能に係合され、いわゆる下敷きのようにして対向した位置に配置された電子ペーパー１１-1〜１１-6の表面側表示面（図１において、電子ペーパー１１-4の場合、表示面１１-4F）において、ユーザがペン型位置指示器１３により指定した位置に対応する位置情報を電子ペーパー１１-1〜１１-6の表示座標に対応づけて入力するための下敷き型タブレット（位置情報入力部）１４と、を備えている。
【００１２】
表示ユニット１２は、リング型保持具１２Ａを介して外部とのインタフェース動作を行うインタフェース部１２Ｂと、表示ユニット１２全体を制御するマイクロコンピュータとして構成されたマイクロコンピュータユニット（ＭＣＵ）１２Ｃと、ＭＣＵ１２Ｃの制御下で電子ペーパー１１-1〜１１-6を実際に駆動するディスプレイドライバ１２Ｄと、を備えて構成されている。
下敷き型タブレット１４は、ペン型位置指示器１３によりユーザが位置指示を行うように構成されており、ペン型位置指示器１３と協働して位置検出信号を生成する位置検出部３００と、位置検出部３００が生成した位置検出信号に基づいて位置座標データを生成し出力するとともに、ペン型位置指示器１３の操作データ（筆圧データ、スイッチ操作データなど）を生成し出力するタブレット制御部６００と、を備えている。
【００１３】
ここで、下敷き型タブレットについて詳細に説明する。
図３は、下敷き型タブレットの概要構成図である。
図３に示すように、下敷き型タブレット１４は、位置検出部３００の各ループコイル３２２及び各ループコイル３２４が下敷き型タブレット１４に接続された構成を有している。
ペン型位置指示器１３は、コイル及びコンデンサを含む共振回路２６を備え、共振回路２６にはＩＣ２５が接続される。
一方、下敷き型タブレット１４のタブレット制御部６００は、位置検出部３００が有する複数のループコイル３２２、３２４の中から一つのループコイルを選択する選択回路６０２と、選択回路６０２により選択されたループコイルに対して信号を送出する送信モード、及び、選択回路６０２により選択されたループコイルによってペン型位置指示器１３からの信号を受信する受信モードを切り換える送受切替回路６０３と、を備えている。
【００１４】
また、タブレット制御部６００は、当該下敷き型タブレット１４の各部を制御する制御回路６０１と、送受切替回路６０３から出力された信号を増幅する増幅回路６０４と、増幅回路６０４により増幅された信号について、所定周波数帯域の信号成分のみを通過させるＢＰＦ（帯域通過フィルタ）６０５と、ＢＰＦ６０５を通過した信号成分を電圧値に変換する検波回路６０６と、この電圧値を所定時間保持するサンプルホールド回路６０７と、サンプルホールド回路６０７に保持された電圧値をデジタルデータに変換して制御回路６０１に出力するＡ／Ｄ変換回路６０８と、制御回路６０１の制御に従って所定周波数の発振信号を生成する信号発生回路６０９と、信号発生回路６０９により生成された信号を増幅して送受切替回路６０３に出力する増幅回路６１０と、を備えている。
【００１５】
下敷き型タブレット１４のタブレット制御部６００は、ペン型位置指示器１３による位置入力操作を以下の手順で検出している。
まず、制御回路６０１は、選択回路６０２を制御して一つのループコイルを選択させるとともに、送受切替回路６０３を制御して、動作モードを送信モードに切り換えさせる。
続いて、タブレット制御部６００の制御回路６０１は、信号発生回路６０９を制御して所定周波数の信号を生成させる。この信号は、増幅回路６１０により増幅されて送受切替回路６０３を介して選択回路６０２に入力され、選択回路６０２により選択されているループコイルに上記信号に応じた電流が流れる。これにより、当該ループコイルの周囲に磁界が発生する。
【００１６】
ここで、ペン型位置指示器１３においては、位置検出部３００が有するループコイル３２２、３２４の周囲に発生した磁界により共振回路２６に誘導電流が流れ、ＩＣ２５が動作を開始する。ＩＣ２５は、共振回路２６に対して所定周波数の信号を生成し、この信号を共振回路２６から下敷き型タブレット１４へ送信させる。
下敷き型タブレット１４の制御回路６０１は、上記送信モードの動作を所定時間継続した後に、送受切替回路６０３を制御して動作モードを受信モードに切り換える。この切り換えによって、信号発生回路６０９からの信号が選択回路６０２に出力されなくなる。
【００１７】
この受信モードにおいては、ＩＣ２５の動作によりペン型位置指示器１３から送信された信号が、選択回路６０２により選択されているループコイルにより受信される。詳細には、ＩＣ２５の動作により共振回路２６に信号が加わることにより、この信号に応じた電流が共振回路２６に流れ、共振回路２６の周囲に磁界が生じ、この磁界によってループコイル３２２、３２４に誘導電流が流れる。そして、選択されているループコイルに流れる誘導電流が増幅回路６０４によって増幅された後、ＢＰＦ６０５によって所定周波数帯域の成分のみが検波回路６０６に出力される。この信号成分は検波回路６０６によって電圧値に変換され、サンプルホールド回路６０７に保持される。サンプルホールド回路６０７に保持された電圧値は、所定時間毎にＡ／Ｄ変換回路６０８によってデジタルデータに変換されて制御回路６０１へ出力される。
【００１８】
そして、制御回路６０１は、選択回路６０２によってループコイル３２２、３２４を順次選択させながら、Ａ／Ｄ変換回路６０８から入力されるデジタルデータを演算処理することにより、ペン型位置指示器１３によって指示された位置に近いループコイルを特定して、指示された位置の座標を求める。
また、ペン型位置指示器１３のＩＣ２５は、共振回路２６に誘導電流が流れる間、芯２２（図１）に加わる筆圧、及び、スイッチ２３、２４（図１）の操作状態を検出し、この筆圧及び操作状態に応じて、共振回路２６に対する発振信号の送出タイミング及び送出時間を変化させる。この送出タイミング及び送出時間の変化は、サンプルホールド回路６０７に保持された電圧値をＡ／Ｄ変換回路６０８によってデジタルデータに変換する際に反映される。そして、下敷き型タブレット１４の制御回路６０１は、Ａ／Ｄ変換回路６０８から入力されるデジタルデータを演算処理することにより、筆圧及びスイッチ２３、２４の操作状態を取得する。
【００１９】
その後、制御回路６０１は、ペン型位置指示器１３によって指示された位置に対応する位置座標データおよび、ペン型位置指示器１３における筆圧、及び、スイッチ２３、２４の操作状態を示す操作データを表示ユニット１２側に出力する。
次に電子ペーパーの構成について説明する。
【００２０】
図４は、電子ペーパーの断面図である。
図５は電気泳動表示パネルの電極部分およびディスプレイドライバの概念説明図である。
なお、図４においては、電気泳動表示パネルと共にケース体３１およびカバー体３２を仮想線にて示している。また、図４および図５においては、透明電極にのみ斜線を入れ、その他の部材については図面が複雑になるのを避けるため斜線を省略するとともに、電極への配線も説明に必要な最低限のものを除き省略している。
【００２１】
電子ペーパー１１-1〜１１-6は、それぞれ表裏２面の電気泳動表示パネルを備えているが、電子ペーパー１１-1〜１１-6は、同一構成であるため、以下の説明では、電子ペーパー１１-1を構成する電気泳動表示パネル１１-1Fおよび電気泳動表示パネル１１-1Rを例として説明する。
図４に示すように、電気泳動表示パネル１１-1F、１１-1Rは、それぞれ上下一対の透明電極５０およびドット電極５１と、これら透明電極５０およびドット電極５１の間に挟み込まれて配置された複数のマイクロカプセル５３と、を有している。マイクロカプセル５３は電気泳動層を構成するものであり、各マイクロカプセル５３には電気泳動分散液６０（図４参照）が封入されている。ドット電極５１は上記電気泳動表示パネル２２のドット４０（図５参照）ごとに設けられた電極であり、これらのドット電極５１がフレキシブル基板５４上に形成されている。また、透明電極（共通電極）５０は透明なガラス基板５５上に例えばＩＴＯ（Indium-Tin Oxide）を蒸着して形成された透明な電極であり、ドット電極５１と対向して配置される。この透明電極５０は全てのドット電極５１にまたがる１枚の電極として構成されている。
【００２２】
このような構成の電気泳動表示パネル１１-1F、１１-1Rをケース体３１に収容する際には、ガラス基板５５および透明電極５０がケース体３１の上面、すなわち、表示窓側に位置するように収容される。したがって、表示窓側からは、ガラス基板５５および透明電極５０を介してマイクロカプセル５３が呈する表示色が視認されることとなる。
さて、透明電極５０と各ドット電極５１には、フレキシブル基板５４に配設された電気配線ＥＬ、ＥＬ１（図４および図５参照）を介して、表示ユニット１２のディスプレイドライバ１２Ｄから所定電圧の駆動信号が供給され、マイクロカプセル５３に封入された電気泳動分散液６０に電界が付与される。マイクロカプセル５３内の電気泳動分散液中には、図５に示すように、電気泳動粒子として黒色に着色された黒粒子６１と、白色に着色された白粒子６２とが分散されている。これら黒粒子６１および白粒子６２は互いに異なる極性に帯電しており、本実施の形態では、黒粒子６１が正側、白粒子６２が負側に帯電している。
【００２３】
したがって、ディスプレイドライバ１２Ｄ内でスイッチＳＷｃが低電位側電源（アース側電源）ＶE側に接続され、透明電極５０が０Ｖ電位（アース電位）とされるとともに、例えば、ドット電極５１Ｐのように、ディスプレイドライバ１２Ｄ内でスイッチＳＷ3 が高電位側電源（正電位）ＶH側に接続された場合、ドット電極５１Ｐから透明電極５０に向かう電界が発生し、図５に示すように、マイクロカプセル５３内のプラスに帯電した黒粒子６１が透明電極５０側に移動することとなり、負側に帯電した白粒子６２がドット電極５１側に引き寄せられる。この結果、マイクロカプセル５３が黒色を呈するため、ドット表示領域Ａ１が黒を表示する。
これとは逆に、ディスプレイドライバ１２Ｄ内でスイッチＳＷｃが高電位側電源（正電位）ＶH側に接続され、透明電極５０が正電位とされるとともに、ドット電極５１Ｅがディスプレイドライバ１２Ｄ内でスイッチＳＷ1、ＳＷ2 が低電位側電源（アース側電源）ＶE側に接続され、アース電位に保持された場合には、マイクロカプセル５３内の負側に帯電した白粒子６２が透明電極５０側に引き寄せられ、また、正側に帯電した黒粒子６１がドット電極５１Ｅ側に移動し、結果として、マイクロカプセル５３が白色を呈するため、ドット表示領域Ａ２，Ａ３が白を表示する。
上記スイッチSＷ1〜ＳＷ3 の動作を、スイッチＳＷｃが交互に高電位側電源ＶHあるいは低電位側電源ＶEに接続しつつ、行うことにより表示を切り替えることとなる。このとき、透明電極５０とドット電極５１との間に電位差を生じない場合には、黒粒子６１および白粒子６２の移動が生じないため、ドット表示領域の表示色は変化せずに以前の状態が維持されることとなる。
【００２４】
図６は、第１実施形態の使用態様の説明図である。
実際にノート型情報処理装置１０を使用する場合には、例えば、操作対象の電子ペーパー１１-4の背面に下敷き型タブレット１４が位置するように、下敷き型タブレット１４を挟み込むとともに、下敷き型タブレット１４をリング型保持具１２Ａに確実に取り付ける。
この結果、下敷き型タブレット１４は、表示ユニット１２に電気的に接続される。
このとき、操作対象の電子ペーパー１１-4を特定する方法としては、様々考えられるが、表示ユニット１２に通信距離数センチの超近距離無線通信ユニット１２Ｅ1、１２Ｅ2を離間して配置するとともに、各電子ペーパー１１-1〜１１-6の超近距離無線通信ユニット１２Ｅ1、１２Ｅ2に対応する位置に各電子ペーパー１１-1〜１１-6にユニークなＩＤコードが書き込まれたＩＣチップ１１-1x〜１１-6xを埋め込んでおく。
【００２５】
この結果、各ＩＣチップ１１-1x〜１１-6xのＩＤコードが超近距離無線通信ユニット１２Ｅ1あるいは超近距離無線通信ユニット１２Ｅ2のいずれで読み込まれたかによって、最も上側に位置する電子ペーパーを特定することとなる。すなわち、図６の例の場合、超近距離無線通信ユニット１２Ｅ1にはＩＣチップ１１-1x〜１１-3xのＩＤコードが入力され、超近距離無線通信ユニット１２Ｅ2にはＩＣチップ１１-4x〜１１-6xのＩＤコードが入力されるので、最も上側に位置する電子ペーパーは、電子ペーパー１１-3および電子ペーパー１１-4であることが分かる。
さらに下敷き型タブレット１４にも、同様のＩＣチップ１４ｘを埋め込んでおくことにより、ＩＣチップ１４ｘのＩＤコードが超近距離無線通信ユニット１２Ｅ1あるいは超近距離無線通信ユニット１２Ｅ2のいずれで読み込まれたかによって、左右のいずれに差し込まれているかを判別することができ、図６の例の場合では、操作対象の電子ペーパーは、電子ペーパー１１-4でありその表示面は、電気泳動表示パネル１１-4Fであることが特定できるのである。
【００２６】
従って、ユーザがペン型位置指示器１３により電気泳動表示パネル１１-4F側で入力を行うと、その入力状態に応じて、電気泳動表示パネル１１-4Fに対応する表示が行われることとなる。すなわち、ペン型位置指示器１３によりユーザの指定した位置が下敷き型タブレット１４により検出され、検出位置の位置情報がシート型表示装置である電子ペーパー１１の表示位置に対応づけて表示ユニット１２に入力されるので、例えば、図６においては、入力履歴に基づいて手書き文字（図では、「ａ」）が入力され、表示されることとなる。
【００２７】
［２］第２実施形態
上記第１実施形態は、下敷き型タブレット１４を操作対象の電子ペーパーの背面側に位置させるものであったが、本第２実施形態は、下敷き型タブレットを操作対象の電子ペーパーの表面側に位置させる場合の実施形態である。
図７は、第２実施形態の使用態様の説明図である。
本第２実施形態の下敷き型タブレット１４Ａは、透明窓１４Ａ１を備えており、リング型保持具１２Ａに装着した場合であっても、背面側の電子ペーパー、図７の例では、電子ペーパー１１-4を視認することが可能となっており、下敷き型タブレット１４Ａ上でユーザがペン型位置指示器１３により電気泳動表示パネル１１-4F側で入力を行うと、その入力状態に応じて、電気泳動表示パネル１１-4Fに対応する表示が行われることとなる。
【００２８】
［３］第３実施形態
上記第１実施形態および第２実施形態は、下敷き型タブレットが別体として設けられていたものであったが、本第３実施形態は、下敷き型タブレットを左右頁のそれぞれに設けるとともに、表示ユニット１２と一体に設けた場合の実施形態である。
図８は、第３実施形態の使用態様の説明図である。
本第２実施形態の下敷き型タブレット１４Ｂ１、１４Ｂ２は、表示ユニット１２と電気配線を内蔵したヒンジ部１４Ｂ１Ａ、１４Ｂ２Ａを介して一体に形成されており、図８に示すように、例えば、下敷き型タブレット１４Ｂ１を矢印方向に回動させることにより、操作対象の電子ペーパー１１-4の背面に下敷き型タブレット１４Ｂ１を位置させて、挟み込む。
この結果、電子ペーパー１１-4上でユーザがペン型位置指示器１３により電気泳動表示パネル１１-4F側で入力を行うと、その入力状態に応じて、電気泳動表示パネル１１-4Fに対応する表示が行われることとなる。
【００２９】
［４］第４実施形態
本第４実施形態は、下敷き型タブレットを表示ユニットに組み込んだ場合の実施形態である。
図９は、第４実施形態の使用態様の説明図である。
本第４実施形態の下敷き型タブレット１４Ｃ１、１４Ｃ２は、表示ユニット１２に組み込まれており、操作対象の電子ペーパーを見開いた状態で配置し、当該電子ペーパー上で上でユーザがペン型位置指示器１３によりいずれかの電気泳動表示パネル側で入力を行うと、対応する下敷き型タブレット１４Ｃ１、１４Ｃ２の入力状態に応じて、電気泳動表示パネルに対応する表示が行われることとなる。
【００３０】
［５］第５実施形態
上記第３実施形態において、下敷き型タブレットを電子ペーパーの背面側に位置させるものであったが、本第２実施形態は、下敷き型タブレットを操作対象の電子ペーパーの表面側に位置させる場合の実施形態である。
図１０は、第５実施形態の使用態様の説明図である。
本第２実施形態の下敷き型タブレット１４Ｄ１、１４Ｄ２は、透明窓１４Ｄ１Ｂ、１４Ｄ２Ｂを備えている。また、下敷き型タブレット１４Ｄ１、１４Ｄ２は、電気配線を内蔵したヒンジ部１４Ｄ１Ａ、１４Ｄ２Ａを介して表示ユニット１２と一体に形成されており、図１０に示すように、例えば、下敷き型タブレット１４Ｄ１を矢印方向に回動させることにより、操作対象の電子ペーパー１１-4の表面に下敷き型タブレット１４Ｂ１を位置させて、載置する。
【００３１】
この結果、背面側の電子ペーパー、図１０の例では、電子ペーパー１１-4を視認することが可能となっており、下敷き型タブレット１４Ｄ１上でユーザがペン型位置指示器１３により電気泳動表示パネル１１-4F側で入力を行うと、その入力状態に応じて、電気泳動表示パネル１１-4Fに対応する表示が行われることとなる。
この場合に、例えば、下敷き型タブレット１４Ｄ１、１４Ｄ２にリング型保持具１２Ａと係合する部材を設ければ、位置ずれを容易になくして正確な入力を行える。
【００３２】
［６］第６実施形態
上記第１実施形態では、ＩＣチップを用いて操作対象の電子ペーパーを特定していたが、本第６実施形態は、各電子ペーパーにタブを設け、このタブの有無を光学的に検出して操作対象の電子ペーパーを特定するものである。
図１１は、第６実施形態の説明図である。
本第６実施形態においては、電子ペーパー１１-1〜１１-6のそれぞれから図面上側に突出するようにタブＴ１〜Ｔ６が設けられ、表示ユニット１２のそれぞれのタブＴ１〜Ｔ６が対応する位置に、反射型光センサＰＤ１〜ＰＤ６を設けている。
【００３３】
この結果、各タブＴ１〜Ｔ６が各反射型光センサＰＤ１〜ＰＤ６から出射された検出光を反射するか否かに基づいて最も上側に位置する電子ペーパーを特定することとなる。すなわち、図１１の例の場合、反射型光センサＰＤ１〜ＰＤ４の検出光は再び反射型光センサＰＤ１〜ＰＤ４に戻ることはなく、反射型光センサＰＤ５〜ＰＤ６の検出光は再び反射型光センサＰＤ５〜ＰＤ６に戻ることとなるので、最も上側に位置する電子ペーパーは、電子ペーパー１１-4および電子ペーパー１１-5であることが分かる。
さらに下敷き型タブレット１４にも、同様のタブを設けることにより、左右のいずれに差し込まれているかを判別することができ、図１１の例の場合では、操作対象の電子ペーパーは、電子ペーパー１１-5でありその表示面は、電気泳動表示パネル１１-5Fであることが特定できるのである。
従って、ユーザがペン型位置指示器１３により電気泳動表示パネル１１-5F側で入力を行うと、その入力状態に応じて、電気泳動表示パネル１１-5Fに対応する表示が行われることとなる。
【００３４】
［７］第７実施形態
上記第１実施形態では、ＩＣチップを用いて操作対象の電子ペーパーを特定していたが、本第７実施形態は、各電子ペーパーに検出用孔を設け、この検出用孔の位置を光学的に検出することにより操作対象の電子ペーパーを特定するものである。
図１２は、第７実施形態の説明図である。
本第７実施形態においては、電子ペーパー１１-1〜１１-6のそれぞれから図面上側に突出する位置に検出用孔形成部ＨＰが設けられ、検出用孔形成部ＨＰの電子ペーパー１１-1〜１１-6のそれぞれに対応する位置に検出用孔Ｈ１〜Ｈ６が設けられている。
また、本実施形態の下敷き型タブレット１４Ｅの表面側１４Ｅ-Fには、検出用孔Ｈ１〜Ｈ６のそれぞれに対応する位置に反射型光センサＰＤ１Ａ〜ＰＤ６Ａを設けている。下敷き型タブレット１４Ｅの裏面側１４Ｅ-Rには、検出用孔Ｈ１〜Ｈ６のそれぞれに対応する位置に反射型光センサＰＤ１Ｂ〜ＰＤ６Ｂを設けている。
【００３５】
この結果、各検出用孔Ｈ１〜Ｈ６が各反射型光センサＰＤ１Ａ〜ＰＤ６Ａあるいは各反射型光センサＰＤ１Ｂ〜ＰＤ６Ｂから出射された検出光を透過するか否かに基づいて対向する電子ペーパーを特定することとなる。すなわち、図１２の例の場合、下敷き型タブレット１４Ｅを右側から挿入することとなるので、反射型光センサＰＤ５Ａの検出光は、検出用孔Ｈ５を透過して、反射型光センサＰＤ５Ａに戻ることはなく、操作対象の電子ペーパーは、電子ペーパー１１-5であり、その表示面は、電気泳動表示パネル１１-5Fであることが特定できるのである。
従って、ユーザがペン型位置指示器１３により電気泳動表示パネル１１-5F側で入力を行うと、その入力状態に応じて、電気泳動表示パネル１１-5Fに対応する表示が行われることとなる。
【００３６】
［８］実施形態の効果
以上の説明のように、各実施形態によれば、複数の電子ペーパーを備えたノート型情報処理装置を紙製のノートと同様の使い心地で使用することが可能となり、ユーザが書き込んだり、ユーザが貼り付けた情報や書き込んだりした情報を容易に参照したりすることができる。
【００３７】
［９］実施形態の変形例
以上の説明では、電子ペーパーは、両面型のものを用いていたが、片面型のものを使用することも可能である。
以上の説明では、手書き文字を入力する場合を図示していたが、操作ボタンなどを表示し、ユーザの選択操作により対応する処理（ファイルオープン操作処理や各種指示に対応する処理など）を行うようにしてもよい。
【００３８】
以上の説明では、電子ペーパーおよび下敷き型タブレットをリング型保持部を介して固定、導通するようにしていたが、専用のコネクタを表示ユニット側に複数設け、当該コネクタに電気的に接続するように構成することも可能である。また、電子ペーパーと下敷き型タブレットの固定のみを行い、電子ペーパー、下敷き型タブレットおよび表示ユニット間を相互に無線通信で接続するように構成することも可能である。
以上の説明では、電子ペーパー側に透明電極（共通電極）および
【００３９】
以上の説明では、シート型表示装置である電子ペーパーとして、電気泳動方式のものを用いていたが、液晶表示方式、粉体移動方式、エレクトロデポジション方式、エレクトロウエッティング方式、フレキシブル有機ＥＬ方式など他の方式の物であっても適用が可能である。
【００４０】
以上の説明では、ループコイル３２２、３２４を二ターンのループコイルとして図５に示したが、このターン数は特に限定されず、ループコイル３２２、３２４におけるループコイルの数についても任意である。
【００４１】
以上の説明では、下敷き型タブレットの入力面は、シート型表示装置である電子ペーパーの表示面に直接的に対面する位置に配置可能としていたが、書き味を変更すべく緩衝材を挟んだり、あるいは、透明型の下敷き型タブレットであれば、なぞるための下絵が描いてあるシートなどを挟んで間接的に対面配置可能とすることも可能である。
以上の説明では、シート型表示装置である電子ペーパーには、透明電極（共通電極）５０およびドット電極（マトリックス電極）５１が設けられていたが、ドット電極を下敷き型タブレットに設けるようにすれば、各電子ペーパーの製造コストの低減を図ることが可能である。さらに下敷き型タブレットで電子ペーパーを挟み込み、下敷き型タブレット側に透明電極（共通電極）およびドット電極（マトリックス電極）を設け、電子ペーパーには、ドット電極を設けていないフレキシブル基板およびガラス基板５５に代わるフレキシブル基板を設けるように構成すれば、より製造コストを低減させることが可能となる。
さらにこれらの構成の場合、電子ペーパーと下敷き型タブレットとの位置合わせを厳密に行う必要がなくなり、より使い勝手が向上する。
【００４２】
以上の説明では、ペン型位置指示器１３は位置検出部３００との間で無線信号を送受信することにより、位置を指示する構成としたが、本発明はこれに限定されない。例えば、ペン型位置指示器１３が電源装置を内蔵し、ペン型位置指示器１３から位置検出部３に対して一方的に信号を送信するものとしてもよい。
以上の説明では、位置検出部３を電磁誘導方式のタブレットとして構成した場合について説明したが、感圧方式のタブレットとして構成することも可能である。この場合には、ペンがち位置指示器１３には、コイルなどを内蔵する必要はない。
【００４３】
以上の説明では、ノート型情報処理装置に適用した例について説明したが、本発明はこれに限定されるものではなく、例えば、デスクトップ型のコンピュータ等に接続される入力デバイスに適用することが可能であるし、ＰＤＡ（Personal Digital Assistant）や電子辞書、電話機の機能を有する機器等の携帯型の機器において本発明を適用することも可能である。
【図面の簡単な説明】
【００４４】
【図１】実施形態に係るノート型情報処理装置の外観図である。
【図２】実施形態に係るノート型情報処理装置の概要構成ブロック図である。
【図３】下敷き型タブレットの概要構成図である。
【図４】電子ペーパーの断面図である。
【図５】電気泳動表示パネルの電極部分およびディスプレイドライバの概念説明図である。
【図６】第１実施形態の使用態様の説明図である。
【図７】第２実施形態の使用態様の説明図である。
【図８】第３実施形態の使用態様の説明図である。
【図９】第４実施形態の使用態様の説明図である。
【図１０】第５実施形態の使用態様の説明図である。
【図１１】第６実施形態の説明図である。
【図１２】第７実施形態の説明図である。
【符号の説明】
【００４５】
１０…ノート型情報処理装置
１１-1〜１１-6…電子ペーパー（シート型表示装置）
１２…表示ユニット
１２Ａ…リング型保持
１２Ｂ…インタフェース部
１２Ｃ…マイクロコンピュータユニット
１２Ｄ…ディスプレイドライバ
１３…ペン型位置指示器
１４、１４Ａ、１４Ｂ、…下敷き型タブレット（位置情報入力部）
１４Ｃ１、１４Ｃ２…下敷き型タブレット（位置情報入力部）
１４Ｄ１、１４Ｄ２、１４Ｅ…下敷き型タブレット（位置情報入力部）
３００…位置検出部
６００…タブレット制御部
【図１】
2007206845.tif 000003
【図２】
2007206845.tif 000004
【図３】
2007206845.tif 000005
【図４】
2007206845.tif 000006
【図５】
2007206845.tif 000007
【図６】
2007206845.tif 000008
【図７】
2007206845.tif 000009
【図８】
2007206845.tif 000010
【図９】
2007206845.tif 000011
【図１０】
2007206845.tif 000012
【図１１】
2007206845.tif 000013
【図１２】
2007206845.tif 000014